【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
動作モードとして、機器への操作を実行する操作モードと、該機器への操作に対応する説明を提示する説明モードとを有する情報処理装置であって、
前記説明モードにおいてなされた操作の入力について説明を提示する提示手段と、
前記操作の入力を記憶する記憶手段と、
所定の第１操作入力に応じて前記記憶手段に記憶された前記操作の入力に応じた動作を実行するとともに、前記動作モードを前記説明モードから前記操作モードへ移行する移行制御手段とを備えることを特徴とする情報処理装置。
【請求項２】
前記移行制御手段は、所定の第２操作入力があった場合は、前記記憶手段に記憶された前記操作の入力に応じた動作を実行することなく、前記説明モードへの移行直前の状態で前記動作モードを前記操作モードへ移行することを特徴とする請求項１に記載の情報処理装置。
【請求項３】
前記移行制御手段は、前記所定の第２操作入力による前記操作モードへの移行において、前記記憶手段に記憶された前記操作の入力が、手動操作された後の状態を維持し、自動的にはその維持された状態が解除されない操作部品への操作であることを示す場合、該操作部品の状態を元に戻すことの指示を提示し、該操作部品の状態が前記説明モードへの移行直前の状態に戻ったことを確認した後に前記動作モードを前記操作モードへ移行することを特徴とする請求項２に記載の情報処理装置。
【請求項４】
動作モードとして、機器への操作を実行する操作モードと、該機器への操作に対応する説明を提示する説明モードとを有する情報処理装置であって、
前記説明モードへの移行時に当該情報処理装置の操作画面を介してユーザが行った指定の状態を示す状態情報を取得する取得手段と、
前記説明モードにおいてなされた操作入力と前記状態情報とに基づいて該操作入力に対する説明の提示内容を決定する決定手段と、
前記説明モードにおいて、前記決定手段で決定された提示内容を提示する提示手段とを備えることを特徴とする情報処理装置。
【請求項５】
前記決定手段で決定される提示内容は、前記操作モードにおいて前記操作入力がなされた場合の操作結果の操作画面状態であることを特徴とする請求項４に記載の情報処理装置。
【請求項６】
前記決定手段で決定される提示内容は、前記操作モードにおいて前記操作入力がなされた場合の操作結果に関する音声説明であることを特徴とする請求項４に記載の情報処理装置。
【請求項７】
動作モードとして、機器への操作を実行する操作モードと、該機器への操作に対応する説明を提示する説明モードとを有する情報処理装置であって、
前記説明モードへの移行時に、当該情報処理装置の操作画面を介してユーザが行った指定の状態を示す状態情報を取得する状態取得手段と、
前記説明モードにおいて音声入力のための操作部品が操作された場合に、前記状態取得手段で取得された前記状態情報に基づいて、当該操作部品が前記操作モードにおいて操作された場合に音声入力が可能となる語彙を取得する語彙取得手段と、
前記説明モードにおいて、前記語彙取得手段で取得された語彙を含む説明を提示する提示手段とを備えることを特徴とする情報処理装置。
【請求項８】
前記提示手段は、前記語彙を含む説明を音声にて提示することを特徴とする請求項７に記載の情報処理装置。
【請求項９】
前記説明モードにおける所定の操作により、前記動作モードを前記説明モードから前記操作モードへ移行するとともに、前記状態取得手段で取得した装置状態における音声取り込みを開始する移行制御手段をさらに備えることを特徴とする請求項７または８に記載の情報処理装置。
【請求項１０】
動作モードとして、機器への操作を実行する操作モードと、該機器への操作に対応する説明を提示する説明モードとを有する情報処理装置の情報処理方法であって、
提示手段が、前記説明モードにおいてなされた操作の入力について説明を提示する提示工程と、
記憶手段が、前記操作の入力をメモリに記憶する記憶工程と、
移行制御手段が、所定の第１操作入力に応じて前記メモリに記憶された前記操作の入力に応じた動作を実行するとともに、前記動作モードを前記説明モードから前記操作モードへ移行する移行制御工程とを有することを特徴とする情報処理方法。
【請求項１１】
動作モードとして、機器への操作を実行する操作モードと、該機器への操作に対応する説明を提示する説明モードとを有する情報処理装置の情報処理方法であって、
取得手段が、前記説明モードへの移行時に当該情報処理装置の操作画面を介してユーザが行った指定の状態を示す状態情報を取得する取得工程と、
決定手段が、前記説明モードにおいてなされた操作入力と前記状態情報とに基づいて該操作入力に対する説明の提示内容を決定する決定工程と、
説明モードにおいて、前記決定工程で決定された提示内容を提示する提示工程とを有することを特徴とする情報処理方法。
【請求項１２】
動作モードとして、機器への操作を実行する操作モードと、該機器への操作に対応する説明を提示する説明モードとを有する情報処理装置の情報処理方法であって、
状態取得手段が、前記説明モードへの移行時に、当該情報処理装置の操作画面を介してユーザが行った指定の状態を示す状態情報を取得する状態取得工程と、
語彙取得手段が、前記説明モードにおいて、音声入力のための操作部品が操作された場合に、前記状態取得工程で取得された前記状態情報に基づいて、当該操作部品が前記操作モードにおいて操作された場合に音声入力が可能となる語彙を取得する語彙取得工程と、
提示手段が、前記説明モードにおいて、前記語彙取得工程で取得された語彙を含む説明を提示する提示工程とを有することを特徴とする情報処理方法。
【請求項１３】
請求項１０乃至請求項１２のいずれか１項に記載の情報処理方法をコンピュータに実行させるためのプログラム。
【手続補正２】
【補正対象書類名】明細書
【補正対象項目名】０００９
【補正方法】変更
【補正の内容】
【０００９】
上記の目的を達成するための本発明の一態様による情報処理装置は以下の構成を備える。すなわち、
動作モードとして、機器への操作を実行する操作モードと、該機器への操作に対応する説明を提示する説明モードとを有する情報処理装置であって、
前記説明モードにおいてなされた操作の入力について説明を提示する提示手段と、
前記操作の入力を記憶する記憶手段と、
所定の第１操作入力に応じて前記記憶手段に記憶された前記操作の入力に応じた動作を実行するとともに、前記動作モードを前記説明モードから前記操作モードへ移行する移行制御手段とを備える。
【手続補正３】
【補正対象書類名】明細書
【補正対象項目名】００１０
【補正方法】変更
【補正の内容】
【００１０】
また、上記の目的を達成するための本発明の他の態様による情報処理装置は以下の構成を備える。すなわち、
動作モードとして、機器への操作を実行する操作モードと、該機器への操作に対応する説明を提示する説明モードとを有する情報処理装置であって、
前記説明モードへの移行時に当該情報処理装置の操作画面を介してユーザが行った指定の状態を示す状態情報を取得する取得手段と、
前記説明モードにおいてなされた操作入力と前記状態情報とに基づいて該操作入力に対する説明の提示内容を決定する決定手段と、
前記説明モードにおいて、前記決定手段で決定された提示内容を提示する提示手段とを備える。
【手続補正４】
【補正対象書類名】明細書
【補正対象項目名】００１１
【補正方法】変更
【補正の内容】
【００１１】
さらに、上記の目的を達成するための本発明のさらに他の態様による情報処理装置は以下の構成を備える。すなわち、
動作モードとして、機器への操作を実行する操作モードと、該機器への操作に対応する説明を提示する説明モードとを有する情報処理装置であって、
前記説明モードへの移行時に、当該情報処理装置の操作画面を介してユーザが行った指定の状態を示す状態情報を取得する状態取得手段と、
前記説明モードにおいて音声入力のための操作部品が操作された場合に、前記状態取得手段で取得された前記状態情報に基づいて、当該操作部品が前記操作モードにおいて操作された場合に音声入力が可能となる語彙を取得する語彙取得手段と、
前記説明モードにおいて、前記語彙取得手段で取得された語彙を含む説明を提示する提示手段とを備える。